(57)【要約】【課題】  ユーザに課される操作上の負担を軽減することができ、ひいては、簡便な操作によって所望のコンテンツのみを得ることができる利便性に優れた「コンテンツ提供装置」を提供すること。【解決手段】  コンテンツを読み上げて音声出力することによって、ユーザにコンテンツを提供するコンテンツ提供装置１であって、前記コンテンツに予め指定されたキーワードが含まれている場合には、当該コンテンツの詳細内容を読み上げて音声出力すること。【選択図】      図１
2006330133.tif 000002
【特許請求の範囲】
【請求項１】
コンテンツを読み上げて音声出力することによって、ユーザにコンテンツを提供するコンテンツ提供装置であって、
前記コンテンツに予め指定されたキーワードが含まれている場合には、当該コンテンツの詳細内容を読み上げて音声出力すること
を特徴とするコンテンツ提供装置。
【請求項２】
前記コンテンツに前記予め指定されたキーワードが含まれていない場合には、当該コンテンツの簡易内容を読み上げて音声出力することを特徴とする請求項１に記載のコンテンツ提供装置。
【請求項３】
前記コンテンツに前記予め指定されたキーワードが含まれている場合には、当該コンテンツの簡易内容および前記詳細内容を読み上げて音声出力すること
を特徴とする請求項１に記載のコンテンツ提供装置。
【請求項４】
複数のコンテンツを順次読み上げて音声出力することによって、ユーザに複数のコンテンツを提供することが可能とされ、
前記複数のコンテンツを順次読み上げて音声出力する際に、前記複数のコンテンツのうち、前記予め指定されたキーワードが含まれているコンテンツについては、当該コンテンツの前記詳細内容を読み上げて音声出力し、前記複数のコンテンツのうち、前記予め指定されたキーワードが含まれていないコンテンツについては、当該コンテンツの簡易内容を読み上げて音声出力すること
を特徴とする請求項１に記載のコンテンツ提供装置。
【請求項５】
複数のコンテンツを順次読み上げて音声出力することによって、ユーザに複数のコンテンツを提供することが可能とされ、
前記複数のコンテンツを順次読み上げて音声出力する際に、前記複数のコンテンツのうち、前記予め指定されたキーワードが含まれているコンテンツについては、当該コンテンツの簡易内容および前記詳細内容を読み上げて音声出力し、前記複数のコンテンツのうち、前記予め指定されたキーワードが含まれていないコンテンツについては、当該コンテンツの簡易内容のみを読み上げて音声出力すること
を特徴とする請求項１に記載のコンテンツ提供装置。
【請求項６】
複数のコンテンツを順次読み上げて音声出力することによって、ユーザに複数のコンテンツを提供することが可能とされ、
前記複数のコンテンツの簡易内容を順次読み上げて音声出力し、この過程において、前記予め指定されたキーワードが含まれているコンテンツについては、当該コンテンツの簡易内容に続けて当該コンテンツの前記詳細内容を読み上げて音声出力すること
を特徴とする請求項１に記載のコンテンツ提供装置。
【請求項７】
ユーザが前記キーワードを入力して指定するための入力手段と、
この入力手段によって入力されたキーワードを保持するキーワード保持手段と、
前記コンテンツを解析する解析手段と、
この解析手段によって解析されたコンテンツと、前記キーワード保持手段によって保持されたキーワードとを照合し、前記解析手段によって解析されたコンテンツ内に、前記キーワード保持手段によって保持されたキーワードが含まれているか否かを判定する判定手段と、
この判定手段の判定結果に基づいて、前記コンテンツの簡易内容および前記詳細内容の少なくとも一方を読み上げる読み上げ手段と、
この読み上げ手段によって読み上げられた前記コンテンツの簡易内容および前記詳細内容の少なくとも一方を音声出力する音声出力手段と
を備えたことを特徴とする請求項１乃至請求項６のいずれか１項に記載のコンテンツ提供装置。
【請求項８】
前記キーワードが含まれていないコンテンツについても、ユーザの選択によって当該コンテンツの詳細内容を読み上げて音声出力することが可能とされていることを特徴とする請求項１乃至請求項７のいずれか１項に記載のコンテンツ提供装置。
【請求項９】
前記コンテンツの簡易内容が、ニュース記事におけるタイトルであり、前記コンテンツの詳細内容が、当該ニュース記事における本文であることを特徴とする請求項２乃至請求項８のいずれか１項に記載のコンテンツ提供装置。
【請求項１０】
前記コンテンツの簡易内容が、地点情報における簡易情報であり、前記コンテンツの詳細内容が、当該地点情報における本文であることを特徴とする請求項２乃至請求項８のいずれか１項に記載のコンテンツ提供装置。
【請求項１１】
ナビゲーション装置に搭載されていることを特徴とする請求項１乃至請求項１０のいずれか１項に記載のコンテンツ提供装置。
【発明の詳細な説明】
【技術分野】
【０００１】
本発明は、コンテンツ提供装置に係り、特に、ニュース記事等のコンテンツを読み上げて音声出力することによって、ユーザにコンテンツを提供するのに好適なコンテンツ提供装置に関する。
【背景技術】
【０００２】
近年、車載用のナビゲーション装置においては、インターネットに接続することが可能なナビゲーション装置が用いられるようになった。
【０００３】
このようなナビゲーション装置は、インターネットを通じて、ニュース記事や地点情報（観光地情報等の地点に関する情報、以下同様）などのコンテンツを読み上げて音声出力することによって、ユーザに種々のコンテンツを提供することができるようになっている。
【０００４】
また、このようなナビゲーション装置には、コンテンツの読み上げを行う場合に、ニュース記事リストや地点リストから、全てのニュース記事または地点情報を読み上げて音声出力する全件読み上げと称される機能が備えられていた。
【０００５】
【特許文献１】特開２０００−９９０７２号公報
【発明の開示】
【発明が解決しようとする課題】
【０００６】
ところで、前述したナビゲーション装置において、全件読み上げを実行する場合には、ニュース記事や地点情報の本文が１件１件読み上げられることになる。
【０００７】
この場合、ユーザは、自分にとって興味のない内容については、次の情報の読み上げに移行する操作を行うことも可能である。
【０００８】
しかしながら、ニュース記事や地点情報の中には、ユーザが興味を示すものと示さないものとが混在しているため、興味を示さないものについては、その都度、次の情報の読み上げに移行するための操作が必要となり、ユーザに操作上の負担を強いる結果となっていた。
【０００９】
したがって、従来は、簡便な操作によってユーザが所望のコンテンツのみを得ることが困難であるといった問題が生じていた。
【００１０】
そこで、本発明は、このような問題に鑑みなされたものであり、ユーザに課される操作上の負担を軽減することができ、ひいては、簡便な操作によって所望のコンテンツのみを得ることができる利便性に優れたコンテンツ提供装置を提供することを目的とするものである。
【課題を解決するための手段】
【００１１】
前述した目的を達成するため、本発明に係るコンテンツ提供装置は、コンテンツに予め指定されたキーワードが含まれている場合には、当該コンテンツの詳細内容を読み上げて音声出力することを特徴としている。
【００１２】
そして、このような構成によれば、予め指定されたキーワードを含むコンテンツについてのみ、当該コンテンツの詳細内容を自動的に読み上げて音声出力することが可能となる。
【００１３】
また、本発明に係るコンテンツ提供装置は、コンテンツに予め指定されたキーワードが含まれていない場合には、当該コンテンツの簡易内容を読み上げて音声出力することを特徴としている。
【００１４】
そして、このような構成によれば、予め指定されたキーワードを含まないコンテンツについては、当該コンテンツの簡易内容のみを自動的に読み上げて音声出力することが可能となる。
【００１５】
さらに、本発明に係るコンテンツ提供装置は、コンテンツに予め指定されたキーワードが含まれている場合には、当該コンテンツの簡易内容および詳細内容を読み上げて音声出力することを特徴としている。
【００１６】
そして、このような構成によれば、予め指定されたキーワードを含むコンテンツについては、当該コンテンツの簡易内容および詳細内容を自動的に読み上げて音声出力することが可能となる。
【００１７】
さらにまた、本発明に係るコンテンツ提供装置は、複数のコンテンツを順次読み上げて音声出力することによって、ユーザに複数のコンテンツを提供することが可能とされ、前記複数のコンテンツを順次読み上げて音声出力する際に、前記複数のコンテンツのうち、予め指定されたキーワードが含まれているコンテンツについては、当該コンテンツの詳細内容を読み上げて音声出力し、前記複数のコンテンツのうち、前記予め指定されたキーワードが含まれていないコンテンツについては、当該コンテンツの簡易内容を読み上げて音声出力することを特徴としている。
【００１８】
そして、このような構成によれば、複数のコンテンツのうち、予め指定されたキーワードを含むコンテンツについては、当該コンテンツの詳細内容を自動的に読み上げて音声出力することが可能となり、予め指定されたキーワードを含まないコンテンツについては、当該コンテンツの簡易内容のみを自動的に読み上げて音声出力することが可能となる。
【００１９】
また、本発明に係るコンテンツ提供装置は、複数のコンテンツを順次読み上げて音声出力することによって、ユーザに複数のコンテンツを提供することが可能とされ、前記複数のコンテンツを順次読み上げて音声出力する際に、前記複数のコンテンツのうち、予め指定されたキーワードが含まれているコンテンツについては、当該コンテンツの簡易内容および詳細内容を読み上げて音声出力し、前記複数のコンテンツのうち、前記予め指定されたキーワードが含まれていないコンテンツについては、当該コンテンツの簡易内容のみを読み上げて音声出力することを特徴としている。
【００２０】
そして、このような構成によれば、複数のコンテンツのうち、予め指定されたキーワードを含むコンテンツについては、当該コンテンツの簡易内容および詳細内容を自動的に読み上げて音声出力することが可能となり、予め指定されたキーワードを含まないコンテンツについては、当該コンテンツの簡易内容のみを自動的に読み上げて音声出力することが可能となる。
【００２１】
さらに、本発明に係るコンテンツ提供装置は、複数のコンテンツを順次読み上げて音声出力することによって、ユーザに複数のコンテンツを提供することが可能とされ、前記複数のコンテンツの簡易内容を順次読み上げて音声出力し、この過程において、予め指定されたキーワードが含まれているコンテンツについては、当該コンテンツの簡易内容に続けて当該コンテンツの詳細内容を読み上げて音声出力することを特徴としている。
【００２２】
そして、このような構成によれば、複数のコンテンツの簡易内容を順次読み上げて音声出力する過程において、予め指定されたキーワードを含むコンテンツについては、当該コンテンツの簡易内容に続けて詳細内容を自動的に読み上げて音声出力することが可能となる。
【００２３】
さらにまた、本発明に係るコンテンツ提供装置は、ユーザがキーワードを入力して指定するための入力手段と、この入力手段によって入力されたキーワードを保持するキーワード保持手段と、コンテンツを解析する解析手段と、この解析手段によって解析されたコンテンツと、前記キーワード保持手段によって保持されたキーワードとを照合し、前記解析手段によって解析されたコンテンツ内に、前記キーワード保持手段によって保持されたキーワードが含まれているか否かを判定する判定手段と、この判定手段の判定結果に基づいて、前記コンテンツの簡易内容および前記詳細内容の少なくとも一方を読み上げる読み上げ手段と、この読み上げ手段によって読み上げられた前記コンテンツの簡易内容および前記詳細内容の少なくとも一方を音声出力する音声出力手段とを備えたことを特徴としている。
【００２４】
そして、このような構成によれば、入力手段によってキーワードを入力する操作を行うだけで、このキーワードを含むコンテンツのみの詳細内容を、判定手段の判定結果に基づいて読み上げ手段によって読み上げて、音声出力手段によって音声出力することが可能となる。また、入力手段によって入力されたキーワードを含まないコンテンツについては、当該コンテンツの簡易内容のみを読み上げ手段によって読み上げて、音声出力手段によって音声出力することが可能となる。
【００２５】
また、本発明に係るコンテンツ提供装置は、キーワードが含まれていないコンテンツについても、ユーザの選択によって当該コンテンツの詳細内容を読み上げて音声出力することが可能とされている点にある。
【００２６】
そして、このような構成によれば、予め指定されたキーワードを含まないコンテンツの詳細内容を、ユーザの選択に応じて読み上げて音声出力することが可能となる。
【００２７】
さらに、本発明に係るコンテンツ提供装置は、コンテンツの簡易内容が、ニュース記事におけるタイトルであり、コンテンツの詳細内容が、当該ニュース記事における本文であることを特徴としている。
【００２８】
そして、このような構成によれば、予め指定されたキーワードを含むニュース記事についてのみ、当該ニュース記事の本文を自動的に読み上げて音声出力することが可能となる。
【００２９】
さらにまた、本発明に係るコンテンツ提供装置は、コンテンツの簡易内容が、地点情報における簡易情報であり、コンテンツの詳細内容が、当該地点情報における本文であることを特徴としている。
【００３０】
そして、このような構成によれば、予め指定されたキーワードを含む地点情報についてのみ、当該地点情報の本文を自動的に読み上げて音声出力することが可能となる。
【００３１】
また、本発明に係るコンテンツ提供装置は、ナビゲーション装置に搭載されていることを特徴としている。
【００３２】
そして、このような構成によれば、ナビゲーション装置においてユーザにコンテンツを提供する際に、予め指定されたキーワードを含むコンテンツについてのみ、当該コンテンツの詳細内容を自動的に読み上げて音声出力することが可能となる。
【発明の効果】
【００３３】
本発明に係るコンテンツ提供装置によれば、予め指定されたキーワードを含むコンテンツについてのみ、当該コンテンツの詳細内容を自動的に読み上げて音声出力することができる結果、ユーザに課される操作上の負担を軽減することができ、ひいては、簡便な操作によって所望のコンテンツの詳細内容を得ることができ、利便性を向上させることができる。
【００３４】
また、本発明に係るコンテンツ提供装置によれば、予め指定されたキーワードを含まないコンテンツについては、当該コンテンツの簡易内容のみを自動的に読み上げて音声出力することができる結果、ユーザに、自分が希望しないコンテンツを長々と提供される煩わしさを与えないようにすることができる。また、ユーザが当初は希望しなかったコンテンツであっても、提供された簡易内容に基づいて、事後的に詳細内容を知りたくなるというユーザの希望の変化が生じる機会を残しておくことができるため、ユーザの選択肢を広げることができる。そして、事後的に、ユーザの選択によって、希望するコンテンツの詳細内容を読み上げて音声出力することができる手段を講ずることによって、結果的に、ユーザが希望するより多くのコンテンツの詳細内容を提供することができる。
【００３５】
さらに、本発明に係るコンテンツ提供装置によれば、予め指定されたキーワードを含むコンテンツについては、当該コンテンツの簡易内容および詳細内容を自動的に読み上げて音声出力することができるため、ユーザが希望する所望のコンテンツについては、簡易内容を把握した上で、詳細内容を得ることができるため、コンテンツの内容を把握しやすくすることができる。
【００３６】
さらにまた、本発明に係るコンテンツ提供装置によれば、複数のコンテンツのうち、予め指定されたキーワードを含むコンテンツについては、当該コンテンツの詳細内容を自動的に読み上げて音声出力することができ、予め指定されたキーワードを含まないコンテンツについては、当該コンテンツの簡易内容のみを自動的に読み上げて音声出力することができる結果、複数のコンテンツを提供する場合においても、ユーザに課される操作上の負担を軽減することができ、簡便な操作によってユーザが希望するコンテンツの詳細内容を得ることができる。一方、ユーザが当初は希望しなかったコンテンツであっても、提供された簡易内容に基づいて、事後的に詳細内容を知りたくなるというユーザの希望の変化が生じる機会を残しておくことができ、ユーザの選択肢を広げることができる。
【００３７】
また、本発明に係るコンテンツ提供装置によれば、複数のコンテンツのうち、予め指定されたキーワードを含むコンテンツについては、当該コンテンツの簡易内容および詳細内容を自動的に読み上げて音声出力することができ、予め指定されたキーワードを含まないコンテンツについては、当該コンテンツの簡易内容のみを自動的に読み上げて音声出力することができる結果、ユーザが希望するコンテンツについては、簡易内容を把握した上で、詳細内容を得ることができ、コンテンツの内容を容易に把握することができる。また、ユーザが当初は希望しなかったコンテンツであっても、提供された簡易内容に基づいて、事後的に詳細内容を知りたくなるというユーザの希望の変化が生じる機会を残しておき、ユーザにより多くの選択肢を提供することができる。
【００３８】
さらに、本発明に係るコンテンツ提供装置によれば、複数のコンテンツの簡易内容を順次読み上げて音声出力する過程において、予め指定されたキーワードを含むコンテンツについては、当該コンテンツの簡易内容に続けて詳細内容を自動的に読み上げて音声出力することができる結果、複数のコンテンツを提供する場合に、ユーザが希望するコンテンツについては、簡易内容を把握した直後に詳細内容を得ることができるため、希望するコンテンツの内容をさらに容易に把握することができる。
【００３９】
さらにまた、本発明に係るコンテンツ提供装置によれば、入力手段によってキーワードを入力する操作を行うだけで、このキーワードを含むコンテンツのみの詳細内容を、判定手段の判定結果に基づいて読み上げ手段によって読み上げて、音声出力手段によって音声出力することができ、入力手段によって入力されたキーワードを含まないコンテンツについては、当該コンテンツの簡易内容のみを読み上げ手段によって読み上げて、音声出力手段によって音声出力することができる結果、さらに簡便な操作によって所望のコンテンツの詳細内容を得ることができ、利便性をさらに向上させることができる。
【００４０】
また、本発明に係るコンテンツ提供装置によれば、予め指定されたキーワードを含まないコンテンツの詳細内容を、ユーザの選択に応じて読み上げて音声出力することができる結果、ユーザの希望の変化に柔軟に対応して、ユーザが希望するより多くのコンテンツの詳細内容を提供することができる。
【００４１】
さらに、本発明に係るコンテンツ提供装置によれば、予め指定されたキーワードを含むニュース記事についてのみ、当該ニュース記事の本文を自動的に読み上げて音声出力することができる結果、ユーザに課される操作上の負担を軽減することができ、簡便な操作によって所望のニュース記事の本文を得ることができ、利便性を向上させることができる。
【００４２】
さらにまた、本発明に係るコンテンツ提供装置によれば、予め指定されたキーワードを含む地点情報についてのみ、当該地点情報の本文を自動的に読み上げて音声出力することができる結果、ユーザに課される操作上の負担を軽減することができ、簡便な操作によって所望の地点情報の本文を得ることができ、利便性を向上させることができる。
【００４３】
また、本発明に係るコンテンツ提供装置によれば、ナビゲーション装置においてユーザにコンテンツを提供する際に、予め指定されたキーワードを含むコンテンツについてのみ、当該コンテンツの詳細内容を自動的に読み上げて音声出力することができる結果、ユーザに課される操作上の負担を軽減することができ、ひいては、簡便な操作によって所望のコンテンツの詳細内容を得ることができる利便性に優れたナビゲーション装置を実現することができる。
【発明を実施するための最良の形態】
【００４４】
以下、本発明に係るコンテンツ提供装置の実施形態について、図１および図２を参照して説明する。
【００４５】
図１に示すように、本実施形態におけるコンテンツ提供装置１は、大別して、制御ユニット２およびこの制御ユニット２にそれぞれ接続されたキー操作部３、ディスプレイ５、発話スイッチ６、マイク７ならびにスピーカ９によって構成されている。
【００４６】
キー操作部３は、入力手段として機能するようになっており、ユーザが、このキー操作部３の所望のキーを押下げる入力操作を行うことによって、所望のキーワードを指定することができるようになっている。
【００４７】
なお、キー操作部３に限らず、マイク７を入力手段として機能させ、マイク７を介した音声入力によってキーワードを指定するようにしてもよい。また、ディスプレイ５をタッチパネル式にして、タッチパネルの操作画面において、ユーザが所望のキーワードをキー操作入力することによってキーワードを指定するようにしてもよい。さらに、入力手段としては、リニアエンコーダ等の種々の手段を用いるようにしてもよい。
【００４８】
制御ユニット２は、コンテンツの読み上げおよび音声出力に要する種々の処理を実行するようになっており、この処理の実行のために必要な複数の構成部を有している。
【００４９】
すなわち、制御ユニット２は、キーワード保持手段としてのメモリ等からなるキーワード保持部１０を有しており、このキーワード保持部１０には、キー操作部３の入力操作によって指定されたキーワードが記憶されて保持されるようになっている。
【００５０】
また、制御ユニット２は、通信部１１を有しており、この通信部１１を介してインターネットに接続することによって、インターネットを通じて情報源から複数のコンテンツを順次取得することができるようになっている。
【００５１】
通信部１１には、解析手段としてのコンテンツ解析部１２が接続されており、このコンテンツ解析部１２には、通信部１１から、インターネットを通じて取得された複数のコンテンツが入力されるようになっている。そして、コンテンツ解析部１２は、入力された複数のコンテンツを解析し、解析結果を出力するようになっている。
【００５２】
コンテンツ解析部１２およびキーワード保持部１０には、判定手段としてのマッチング処理部１４が接続されている。
【００５３】
マッチング処理部１４には、コンテンツ解析部１２の解析結果として、コンテンツ解析部１２による解析が行われた前記複数のコンテンツが入力されるようになっている。
【００５４】
マッチング処理部１４は、この入力された複数のコンテンツ（解析結果）と、キーワード保持部１０によって保持されたキーワードとを照合させるマッチング処理を行うようになっている。
【００５５】
そして、マッチング処理部１４は、マッチング処理の結果、マッチング処理部１４に入力された前記複数のコンテンツ内に、キーワード保持部１０によって保持されたキーワードが含まれているか否かを判定するようになっている。
【００５６】
マッチング処理部１４には、読み上げ手段としての読み上げ制御部１５が接続されている。
【００５７】
この読み上げ制御部１５は、マッチング処理部１４の判定結果に基づいて、マッチング処理部１４に入力された前記複数のコンテンツの読み上げを制御するようになっている。
【００５８】
すなわち、読み上げ制御部１５は、簡易全件読み上げモードが設定された場合に、マッチング処理部１４から、前記複数のコンテンツの簡易内容を順次読み上げるようになっている。
【００５９】
なお、簡易全件読み上げモードの設定については、例えば、ユーザがキー操作部３の操作によって、ディスプレイ５に表示されたメニューのうちから簡易全件読み上げを選択することによって行うようにしてもよい。
【００６０】
さらに、読み上げ制御部１５は、マッチング処理部１４から前記複数のコンテンツの簡易内容を順次読み上げる過程において、キーワード保持部１０に保持されたキーワードを含むコンテンツ（以下、希望コンテンツと称する）については、当該希望コンテンツの簡易内容に続けて、当該希望コンテンツの詳細内容を読み上げるようになっている。
【００６１】
そして、読み上げ制御部１５は、読み上げた複数のコンテンツの簡易内容または詳細内容を順次出力するようになっている。
【００６２】
読み上げ制御部１５には、音声合成部１６が接続されており、この音声合成部１６には、読み上げ制御部１５によって出力されたコンテンツの簡易内容または詳細内容が順次入力されるようになっている。
【００６３】
そして、音声合成部１６は、入力されたコンテンツの簡易内容または詳細内容に相当する音声を音声出力手段としてのスピーカ９に出力するようになっている。
【００６４】
これにより、スピーカ９からは、複数のコンテンツの簡易内容が順次音声出力されるとともに、希望コンテンツについては、簡易内容に続けて詳細内容が音声出力されることになる。
【００６５】
したがって、本実施形態においては、前記複数のコンテンツのうち、希望コンテンツについては、希望コンテンツの簡易内容に続けて詳細内容を自動的に読み上げて音声出力することができる。一方、複数のコンテンツのうち、希望コンテンツ以外のコンテンツについては、簡易内容のみを自動的に読み上げて音声出力することができる。
【００６６】
さらに、本実施形態においては、前記複数のコンテンツのうち、希望コンテンツ以外のコンテンツについても、ユーザの選択によって詳細内容を読み上げて音声出力することができるようになっている。
【００６７】
すなわち、読み上げ制御部１５には、音声認識部１８が接続されており、この音声認識部１８には、発話スイッチ６が押下げられた状態で、マイク７によって集音された発話音声が入力されるようになっている。
【００６８】
そして、音声認識部１８は、マイク７から入力された発話音声（例えば、コンテンツの簡易内容を発話した音声）を、自身に内蔵された音声認識辞書に基づいて認識するようになっている。
【００６９】
読み上げ制御部１５は、音声認識部１８によって認識された音声に対応するコンテンツの詳細内容をマッチング処理部１４から読み出して音声合成部１６に出力するようになっている。
【００７０】
これにより、希望コンテンツ以外のコンテンツについても、詳細内容を読み上げて音声出力することができる。
【００７１】
次に、本実施形態の作用について説明する。
【００７２】
なお、以下の説明においては、コンテンツの一例としてのニュース記事の読み上げおよび音声出力について説明する。この場合、コンテンツの簡易内容は、前記ニュース記事のタイトルとなり、コンテンツの詳細内容は、前記ニュース記事の本文となる。
【００７３】
まず、初期状態において、キーワード保持部１０には、ユーザによるキー操作部３の入力操作によって予め指定されたキーワードが保持されているものとする。
【００７４】
また、初期状態において、コンテンツ提供装置１には、インターネットを通じて情報源から複数のニュース記事がダウンロードされているものとする。
【００７５】
そして、初期状態から、図２に示すように、ニュース記事の読み上げおよび音声出力のための処理を開始した後、図２のステップ１（ＳＴ１）において、初期状態においてダウンロードした前記複数のニュース記事の数と同数回繰り返されるループが開始する。
【００７６】
次いで、ステップ２（ＳＴ２）においては、コンテンツ解析部１２によって、ステップ１（ＳＴ１）において取得された複数のニュース記事のうちの１件のニュース記事の解析を行う。
【００７７】
次いで、ステップ３（ＳＴ３）においては、マッチング処理部１４によって、ステップ２（ＳＴ２）におけるコンテンツ解析部１２の解析結果と、キーワード保持部１０に保持されたキーワードとを照合させるマッチング処理を行う。
【００７８】
次いで、ステップ４（ＳＴ４）においては、マッチング処理部１４によって、ステップ３（ＳＴ３）におけるマッチング処理を行ったニュース記事内に、同ステップ３（ＳＴ３）におけるキーワードと一致する単語が存在するか否か、換言すれば、前記マッチング処理を行ったニュース記事内に前記キーワードが存在するか否かを判定する。
【００７９】
そして、ステップ４（ＳＴ４）の判定の結果、前記ニュース記事内に、前記キーワードと一致する単語が存在する場合には、ステップ５（ＳＴ５）に進み、存在しない場合には、ステップ６（ＳＴ６）に進む。
【００８０】
ステップ５（ＳＴ５）においては、読み上げ制御部１５によって、前記ニュース記事のタイトルを読み上げるとともに、この読み上げたタイトルを、スピーカ９によって音声出力する。
【００８１】
また、ステップ５（ＳＴ５）においては、読み上げ制御部１５によって、前記ニュース記事のタイトルに続けて当該ニュース記事の本文を読み上げるとともに、この読み上げた本文を、スピーカ９によって音声出力する。
【００８２】
一方、ステップ６（ＳＴ６）においては、読み上げ制御部１５によって、前記ニュース記事のタイトルのみを読み上げるとともに、この読み上げたタイトルを、スピーカ９によって音声出力する。
【００８３】
次いで、ステップ７（ＳＴ７）は、前記ループの終端となり、このステップ７（ＳＴ７）においては、ダウンロードされた未処理のニュース記事が残存しない場合には、処理を終了し、存在する場合には、ステップ１（ＳＴ１）に戻って次のニュース記事について前述した処理を繰り返す。
【００８４】
以上述べたように、本実施形態におけるコンテンツ提供装置１によれば、複数のコンテンツの簡易内容を順次読み上げて音声出力する過程において、希望コンテンツについては、簡易内容に続けて詳細内容を自動的に読み上げて音声出力することができる。また、希望コンテンツ以外のコンテンツについては、当該コンテンツの簡易内容のみを自動的に読み上げて音声出力することができる。
【００８５】
この結果、ユーザに課される操作上の負担を軽減することができ、ひいては、簡便な操作によって希望コンテンツの詳細内容を得ることができ、利便性を向上させることができる。また、複数のコンテンツを提供する場合に、希望コンテンツについては、簡易内容を把握した直後に詳細内容を得ることができるため、希望コンテンツの内容を容易に把握することができる。さらに、希望コンテンツ以外のコンテンツであっても、簡易内容を提供することによって、この簡易内容に基づいて、事後的に詳細内容を知りたくなるといったユーザの希望の変化が生じる機会を残しておくことができ、ユーザに選択肢を広げることができる。
【００８６】
さらに、本実施形態におけるコンテンツ提供装置１によれば、希望コンテンツ以外のコンテンツについても、ユーザの選択によって詳細内容を読み上げて音声出力することができるため、ユーザの希望の変化に柔軟に対応することができる。
【００８７】
なお、本発明は、前述した実施の形態に限定されるものではなく、必要に応じて種々の変更が可能である。
【００８８】
例えば、本実施形態におけるコンテンツ提供装置１を車載用のナビゲーション装置に搭載した場合には、ユーザに課される操作上の負担を軽減することにともなって、運転の安全性を向上させることができるといった優れた効果を奏することができる。
【００８９】
また、複数のコンテンツを提供する場合に、詳細内容の読み上げおよび音声出力は、必要に応じて、すべてのコンテンツの簡易内容の読み上げおよび音声出力が終わった後に行うようにしてもよい。
【００９０】
さらに、キーワードを含むコンテンツについては、必要に応じて詳細内容のみを読み上げて音声出力するようにしてもよい。
【００９１】
また、コンテンツは、ニュース記事に限らず、地点情報等の他のコンテンツであってもよい。コンテンツを地点情報とする場合には、コンテンツの簡易内容は、当該地点情報における地点名（市町村名等）などの簡易情報となり、コンテンツの詳細内容は、当該地点情報における本文となる。
【００９２】
さらに、必要に応じて、読み上げたコンテンツの簡易内容または詳細内容を、ディスプレイ５に表示するようにしてもよい。
【図面の簡単な説明】
【００９３】
【図１】本発明に係るコンテンツ提供装置の実施形態を示すブロック図
【図２】本発明に係るコンテンツ提供装置の実施形態において、ニュース記事の読み上げおよび音声出力の処理を示すフローチャート
【符号の説明】
【００９４】
１  コンテンツ提供装置
３  キー操作部
１０  キーワード保持部
１２  コンテンツ解析部
１４  マッチング処理部
１５  読み上げ制御部
【図１】
2006330133.tif 000003
【図２】
2006330133.tif 000004